(57)【要約】【課題】  遊技機において、予備のために保管されるキャップの紛失防止効果を維持しつつ当該キャップによる制御基板の視認性を害しない技術を提供する。【解決手段】  遊技機１００の制御基板１２５を収納する基板ボックス１１１を有する遊技機において、基板ボックスは、ボックス本体１２１とカバー部材１２３とにより構成され、ボックス本体とカバー部材には対向状に配置された封印部１３３，１３５が設けられる。更に封印部を連結して基板ボックスを封印状態とする連結部材１３９と、連結部材の操作部を覆っているキャップ１４１と、を有する。封印部は、制御基板の視認を妨げない位置に配置されるとともに、予備のキャップ１５１を封印状態で収容するキャップ収容空間１４３ａを備えている。【選択図】  図５
2005230537.tif 000002
【特許請求の範囲】
【請求項１】
遊技機の制御基板を収納する基板ボックスを有する遊技機であって、
前記基板ボックスは、ボックス本体とカバー部材とにより構成され、前記ボックス本体と前記カバー部材には対向状に配置された封印部が設けられ、
更に前記封印部を連結して前記基板ボックスを封印状態とする連結部材と、
前記連結部材の操作部を覆っているキャップと、を有し、
前記封印部は、前記制御基板の視認を妨げない位置に配置されるとともに、予備のキャップを前記封印状態で収容するキャップ収容空間を備えていることを特徴とする遊技機。
【発明の詳細な説明】
【技術分野】
【０００１】
本発明は、パチンコ機、アレンジボール機、雀球機、スロットマシン等の遊技機に関し、詳しくは遊技機に装備される制御基板ボックスに関する。
【背景技術】
【０００２】
従来、例えばパチンコ機等の遊技機には、制御装置を構成する複数の電子部品が実装された制御基板（回路基板とも呼ばれる）を収容した基板ボックスが設けられている。この種の基板ボックスでは、制御装置（電子部品）、例えばＲＯＭが不正に交換されたり、そのＲＯＭに記録された内容が不正に書き換えられたりする等の不正行為を防止するべく、封印部を備えている。例えば、特開２００３−１０３００６号公報（特許文献１）には、ボックス本体と当該ボックス本体に開閉可能に設けられるカバー部材とを締結部材によって締結した後、当該締結部材が不正に抜かれないようにするために、当該締結部材をキャップによって封印（被覆）するようにした封印構造が開示されている。
ところで、基板ボックスの封印部は、出荷後においても検査を可能とするために、締結部材を封印する予備のキャップを複数用意している。特許文献１に記載の基板ボックスでは、予備のキャップを基板ボックス内に収容する構成としている。
【０００３】
特許文献１に記載の基板ボックスの場合、キャップを基板ボックス内に収容する構成のため、キャップの紛失防止が図れるといった長所を有する反面、基板ボックス内に収容されるキャップが基板の表裏いずれの側に置かれたとしても、制御基板を視認する際、当該キャップによって制御基板の視認性が損なわれる可能性がある。その場合、制御基板に対するＲＯＭの不正交換や不正書換えなどの不正行為の痕跡の発見が困難となるため、かかる点でなお改良の余地がある。
【特許文献１】特開２００３−１０３００６号公報
【発明の開示】
【発明が解決しようとする課題】
【０００４】
本発明は、かかる点に鑑みてなされたものであり、遊技機において、予備のために保管されるキャップの紛失防止効果を維持しつつ当該キャップによる制御基板の視認性を害しない技術を提供することを目的とする。
【課題を解決するための手段】
【０００５】
上記課題を達成するため、請求項１に記載の発明が構成される。
請求項１に記載の発明によれば、遊技機の制御基板を収納する基板ボックスを有する遊技機が構成される。基板ボックスは、ボックス本体とカバー部材とにより構成されており、ボックス本体とカバー部材には対向状に配置された封印部が設けられている。更に封印部を連結して基板ボックスを封印状態とする連結部材と、連結部材の操作部を覆っているキャップと、を有する。本発明における遊技機としては、典型的には、パチンコ機、アレンジボール機、雀球機、スロットマシン等がこれに該当する。なお本発明における「基板ボックス」としては、遊技機に備えられる基板ボックスのうち、遊技全体を制御する主制御基板を収容する主制御基板ボックス、主制御基板からの信号に基づいて音声装置ないしランプ装置を駆動制御する副制御基板を収容する副制御基板ボックス、あるいは球の払い出しを制御するための払出制御基板を収容する払出制御基板ボックス等を広く包含する。
本発明においては、特徴的構成として、封印部は、制御基板の視認を妨げない位置に配置されるとともに、予備のキャップを封印状態で収容するキャップ収容空間を備えた構成とされる。このように、本発明によれば、制御基板の視認を妨げない位置に、基板ボックスの不正な開放を禁止する封印部を設けるとともに、その封印部に予備のキャップを収容するキャップ収容空間を設けたことによって、予備のキャップの紛失を防止できるとともに、予備のキャップで制御基板の表裏両面のいずれも隠すことがないので、制御基板に対する不正行為の痕跡の発見を妨げない。
【発明の効果】
【０００６】
本発明によれば、遊技機において、予備のために保管されるキャップの紛失防止効果を維持しつつ当該キャップによるボックス内部の視認性を害しない技術が提供されることとなった。
【発明を実施するための最良の形態】
【０００７】
以下、本発明の実施の形態に係るパチンコ機につき図面を参照しつつ詳細に説明する。パチンコ機は、本発明における「遊技機」の一例である。なお説明の便宜上、パチンコ機に対する遊技者側を前、反対側を後という。図１はパチンコ機１００を後側から見た背面図である。なおパチンコ機１００の方向は、図１に矢印で示すように定める。パチンコ機の基本的な構成は、周知の技術事項につき、簡単に述べる。図１に示すように、パチンコ機１００は、概括的には、外枠１０１、本体枠１０３、便宜上図示を省略された遊技盤、ガラス枠、前板等を主体として構成されている。本体枠１０３はパチンコ機１００の前側から見て左側縁部がヒンジを介して外枠１０１に開閉自在に取り付けられる。遊技盤は本体枠１０３に前方から嵌め込まれた状態で取り付けられる。
【０００８】
本体枠１０３の後面における遊技盤取付用の開口部（図示省略）の下方領域には、電源基板を収容する電源基板ボックス（図示省略）と、払出装置制御用の払出制御基板を収容する払出制御基板ボックス１１１が、パチンコ機１００の後側から見て電源基板ボックスが奥側（前側）となるように前後方向に積層した状態で装着されている。払出制御基板ボックス１１１は、本発明における「基板ボックス」に対応する。また遊技盤１０の後面には、（図１では遊技盤の大部分を覆う裏カバー１０５が示されている）の下部領域には、遊技全体を制御する主制御基板を収容する主制御基板ボックス１１３と、主制御基板からの信号に基づいて音声装置ないしランプ装置を駆動制御する副制御基板を収容する副制御基板ボックス１１５が、パチンコ機１００の後側から見て主制御基板ボックス１１３が手前側（後側）となるように前後方向に積層状に装着されている。主制御基板ボックス１１１は、本発明における「基板ボックス」に対応する。なお副制御基板ボックス１１５は、図１において左端が僅かに描かれている。また遊技盤の裏カバー１０５によって覆われる領域には、表示装置を制御する表示制御基板を収容する表示制御基板ボックスが配置されている。上述した各種の回路基板を収容する基板ボックスは、ボックス本体とカバー部材とからなり、カバー部材については、ボックス内部の回路基板の部品実装面を外から透視できるように、透明な合成樹脂によって形成されている。なお上述した各種の基板ボックスの本体枠１０３あるいは遊技盤に対する装着構造については、本発明に直接関係しないため、説明を省略する。
【０００９】
次に封印手段を備えた基板ボックスの一例として、払出制御基板ボックス１１１の場合につき図２〜図８を参照して説明する。図２は払出制御基板ボックス１１１を示す後側から見た斜視図、図３は払出制御基板ボックス１１１の分解斜視図、図４は払出制御基板ボックス１１１を後側から見た背面図である。また図５は図４のＡ−Ａ線断面図であり、図６は図４のＢ−Ｂ線断面図である。更に図７は払出制御基板ボックスのカバー部材を外した状態でボックス本体側の封印部を後側から見た背面図、図８はキャップの抜け止め構造を示す部分断面図である。払出制御基板ボックス１１１の方向は、図２に矢印で示すように定める。払出制御基板ボックス１１１（以下、基板ボックス１１１という）は、ボックス本体１２１と、そのボックス本体１２１に開閉可能に設けられたカバー部材１２３とを備えた矩形の薄型ボックス状に形成されている。基板ボックス１１１内には、払出装置を制御する複数の電子部品１２７が配置された制御基板１２５が収容されている。ボックス本体１２１およびカバー部材１２３は、透明な合成樹脂成形品によって形成されている。
【００１０】
図２〜図４に示すように、基板ボックス１１１は、ボックス本体１２１に対しカバー部材１２３を閉じた状態に封印する封印手段１３１を備えている。次に封印手段１３１の詳細な構成を説明する。封印手段１３１は、ボックス本体１２１側（以下、本体側という）の封印部１３３、カバー部材１２３側（以下、カバー側という）の封印部１３５、カシメ部材１３７、封印ネジ１３９、およびキャップ１４１を主体として構成される。カシメ部材１３７および封印ネジ１３９は、本発明における「連結部材」に対応する。
【００１１】
本体側の封印部１３３は、図３および図６に示すように、円形の貫通孔１３３ａを有する連結筒部として設けられ、ボックス本体１２１の上下方向に複数個（例えば、４個）並んで配置される。そしてそれら隣接する複数の封印部１３３は、ボックス本体１２１の外面側に形成された枠状の支持部１３３ｂによって相互に連接されている。また封印部１３３は、ボックス本体１２１の前面側に形成された連接部１３４を介してボックス本体１２１と連接されている。そしてこの連接部１３４に予備のキャップ１５１を収容するキャップ収容空間１３４ａが形成されている。なお前述した支持部１３３ｂのうち、上下に位置する板状部１３３ｃは、連接部１３４の一部を兼用している。図３および図５に示すように、キャップ収容空間１３４ａは、支持部１３３ｂにおける上下の板状部１３３ｃ、連接部１３４、およびボックス本体１２１の側面によって囲まれて上下方向に長く延びるとともに、後側が開口された箱型の空間であり、これら上下の板状部１３３ｃ、連接部１３４、およびボックス本体１２１の側面によってキャップ収容部が構成されている。なお本体側の封印部１３３および連接部１３４は、全て透明な合成樹脂でボックス本体１２１と一体成形によって形成されている。なおキャップ収容空間１３４ａに収容される予備のキャップ１５１（以下、予備キャップという）については、後で説明する。
【００１２】
カバー側の封印部１３５は、図３および図６に示すように、角形の貫通孔１３５ａを有する連結筒部として設けられ、ボックス本体１の上下方向に複数個（例えば、４個）並んで配置される。そしてそれら隣接する複数の封印部１３５は、連接部１３６を介してカバー部材１２３と連接されている。この連接部１３６は、複数個の封印部１３５をカバー部材１２３に連接するとともに、隣接する封印部１３５同士を相互に連接するべく枠状に形成されている。カバー側の連接部１３６は、その一部を切断することにより封印を解除して基板ボックス１１１を開封する開封部として備えられている。したがって、以下の説明ではカバー側の連接部１３６につき、これを開封部１３６という。カバー側の封印部１３５および開封部１３６は、全て透明な合成樹脂でカバー部材１２３と一体成形によって形成されている。
【００１３】
上記のように構成された本体側の封印部１３３とカバー側の封印部１３５は、ボックス本体１２１に対してカバー部材１２３が閉じられた基板ボックス１１１の閉止状態（図２に示す状態）では、互いに対向するように設定され、対向する封印部同士で一対となる。また図５に示すように、キャップ収容空間１３４ａの開口側が開封部１３６によって塞がれるように設定されている。すなわち、基板ボックス１１１の閉止状態では、開封部１３６はキャップ収容空間１３４ａの蓋を構成する。
【００１４】
図６に示すように、カシメ部材１３７は、中空のリベット状に形成されており、カバー部材１２３の封印部１３３の貫通孔内に挿入されて回り止めされた状態に配置されている。カシメ部材１３７の先端部１３７ａは、本体側の封印部１３３の貫通孔内に突入されるとともに、その内径を小さい口径とする絞り部１３７ｂを有している。またカシメ部材１３７は、塑性変形可能な金属材料によって形成されている。
【００１５】
図６に示すように、封印ネジ１３９は、一方向ネジ（ワンウェイネジとも呼ばれている）からなり、カバー側の封印部１３５側からカシメ部材１３７内にねじ込まれる。封印ネジ１３９は、締め付け方向に関してはドライバー等の工具によりねじ込むことができるが、緩め方向に関しては緩めることができない構成のネジである。封印ネジ１３９がドライバー等の工具によってカシメ部材１３７内にねじ込まれると、このねじ込みによってカシメ部材１３７の絞り部１３７ｂが押し広げられ、それに伴い当該カシメ部材１３７の先端部１３７ａが外径を大きくする方向へ塑性変形されて本体側の封印部１３３の貫通孔の内周面に圧着される。これによって、ボックス本体１２１にカバー部材１２３が閉じた状態に固定、すなわち封印される。なお封印ネジ１３９のカシメ部材１３７へのねじ込みによる封印は、複数の封印部１３３，１３５のうち、選択された一対の封印部１３３，１３５（図４の最下部に示す封印部）に実施され、その他（３個）の封印部１３３，１３５の封印ネジ１３９については、そのねじ込みが保留されている。
【００１６】
またカシメ部材１２３にねじ込まれた封印ネジ１３９の頭部１３９ａは、カバー側の封印部１３５の貫通孔１３５ａ内に嵌入された保護用のキャップ１４１（以下、保護キャップという）によって覆われ、これにより封印ネジ１３９に対して不正な操作が及ぶことを防止している。頭部１３９ａは、本発明における「操作部」に対応する。保護キャップ１４１は、合成樹脂成形品であり、カバー側の封印部１３５に設けた角形の貫通孔１３５ａに対応した四角形に形成されており、図６あるいは図８に示すように、側面が貫通孔１３５ａの内周面に密着し、かつ貫通孔１３５ａ内に没入した状態に嵌め込まれている。また保護キャップ１４１は、対向する２つの側面にそれぞれ弾性変形可能な係止爪１４１ａを有しており、この係止爪１４１ａが貫通孔１３５ａの内周面に形成された段差部１３５ｂに弾発状に係止することによって抜け止めされている。また保護キャップ１４１は、周辺との識別を容易にするべく、例えば青色に着色されている。
【００１７】
次に、未使用の複数（３個）の封印ネジ１３９の頭部１３９ａを覆うために用意（保管）される複数（３個）の予備キャップ１５１につき、図９〜図１１を参照して説明する。図９は予備キャップ１５１を示す斜視図、図１０は予備キャップ１５１を図９のＸ矢印方向から見た図であり、図１１は予備キャップ１５１を図９のＹ矢印方向から見た図である。図示のように、複数の予備キャップ１５１は、切り取り可能な接続部材１５３を介して直列状に連接されている。なお予備キャップ１５１の構成については、前述した保護キャップ１４１と同様である。すなわち、カバー側の封印部１３５の貫通孔１３５ａに対応した四角形に形成されるとともに、対向する２つの側面にそれぞれ弾性変形可能な係止爪１５１ａを備えた構成とされる。直列状に連接された予備キャップ１５１のうちの一方の端部に位置する予備キャップ１５１には、接続部材１５３を介して係止部材１５５が連接されており、この係止部材１５５はＵ形に形成されて係止溝１５５ａを有する構成とされる。また係止溝１５５ａの溝底には、係止部材１５５よりも薄肉の係止部１５５ｂが形成されている。
【００１８】
上記のように構成された予備キャップ１５１は、基板ボックス１１１を封印状態とする前の段階で、図７に示すように、本体側の封印部１３３の連接部１３４に設けたキャップ収容空間１４３ａ内に収容される。予備キャップ１５１の収容に際し、係止部材１５５を、係止溝１５５ａがキャップ収容空間１４３ａの周壁を構成している上側の板状部１３３ｃに嵌り込むように係止する。この状態が図５に示されている。また板状部１３３ｃには図３に示すように、幅の異なる２段（Ｔ形）の係止溝１３３ｄ，１３３ｅが形成されている。そして、板状部１３３ｃの係止溝１３３ｄ，１３３ｅに係止部材１５５を嵌め込むと、図１２に示すように、嵌め込み方向から見て手前側の幅の広い係止溝１３３ｄに係止部材１５５の頭部（基部側）１５５ｃが嵌り、奥側の幅の狭い係止溝１３３ｅに係止部材１５５の係止部１５５ｂが嵌合する構成とされる。すなわち、係止部材１５５は、板状部１３３ｃに対して互いの係止溝１５５ａ，１３３ｄ，１３３ｅが交差する方向に嵌合することによって係止される構成とされている。これによって、予備キャップ１５１は、キャップ収容空間１４３ａ内に遊動が規制された安定状態に保持される。このようにして予備キャップ１５１を収容したキャップ収容空間１４３ａは、基板ボックス１１１の封印状態では、カバー部材側の開封部１３６によって塞がれる。このとき、係止部材１５５は、開封部１３６によって押さえ込まれる。すなわち、係止部材１５５は、板状部１３３ｃと開封部１３６とによって挟持されることとなり、かくして、予備キャップ１５１は、キャップ収容空間１４３ａ内において、封印状態で収容されつつ、前後、左右、および上下の全ての方向につき無用の動きが規制される。また予備キャップ１５１は、保護キャップ１４１および周辺との識別を容易にするべく、例えば赤や黄色等の保護キャップ１４１の色とは異なる色に着色されている。
【００１９】
前述したカバー部材１２３側に設けられる封印解除用の開封部１３６は、ニッパー、カッター等の切断工具を用いての切断が可能とされており、封印が実施されたカバー側の封印部１３５の周囲を切断することで、封印ネジ１３９による封印を解除する構成とされる。すなわち、図４における最下部の封印部１３５をカバー部材１２３および隣接するカバー側の封印部１３５（最下部より１つ上の封印部）から切り離すことによって封印ネジ１３９による封印を解除するように設定されている。そして封印部１３５を切り離す際の開封部１３６の切断線上における、隣接する封印部１３５相互間の境界領域には、開封部１３６の切断が容易に行えるように補助するためのほぼ三角状の切除部１３８が設けられている。この切除部１３８は、図３あるいは図５に示すように、後方に向って隆起状に形成されるとともに、少なくとも開封部１３６と連なる連接部位１３８ａの肉厚が薄肉に形成されている。そして連接部位１３８ａをニッパー、カッター等で切断することによって、切除部１３８が開封部１３６から切除される。このようにして当該切除部１３８が切除されることで、開封部１３６における封印部１３５相互間の境界領域には切除跡としての開口部が形成されることになる。その後、当該開口部にニッパー、カッター等の先を差し込んで開封部１３６における、封印部１３５と開封部１３６とをつなぐ部分、および切り離すべき封印部１３５とその隣りの封印部１３５とをつなぐ部分をそれぞれ切断することによって、封印状態にある封印部１３３，１３５を切り離すことができる。
【００２０】
さて、基板ボックス１１１内の検査等のために、当該基板ボックス１１１を開封する場合、上述したように封印が施された封印部１３３，１３５につき、これを開封部１３６の所定部位を切断することによって基板ボックス１１１を開封する。開封後、検査を実施して再度封印する場合には、キャップ収容空間１４３ａから予備キャップ１５１を取出し、直列状に連接されている予備キャップ１５１のうち、係止部材１５５から最も離れている予備キャップ１５１を接続部材１５３から切り取る。そして、切り残された予備キャップ１５１をキャップ収容空間１４３ａに再度収容して基板ボックス１１１を閉じる。その状態で、封印ネジ１３９のねじ込みが保留されている未使用の一対の封印部１３３，１３５の封印ネジ１３９をドライバーによってカシメ部材１３７にねじ込む。これによって、前述したように、カシメ部材１３７を介して一対の封印部１３３，１３５が連結され、基板ボックス１１１が封印される。封印後において、上述の如く切り取った予備キャップ１５１をカバー側の封印部１３５の貫通孔１３５ａ内に嵌め込むことによって、カシメ部材１３７にねじ込まれた封印ネジ１３９の頭部１３９ａを覆う。これにより、封印ネジ１３９の不正な操作を防止できる。
【００２１】
このように、本実施の形態によれば、制御基板１２５の視認を妨害しない位置に設けられた封印部１３３，１３５の内部に、封印状態で予備キャップ１５１を収容する構成としている。このため、予備キャップ１５１の紛失を防止できるとともに、予備キャップ１５１で制御基板１２５の表裏両面のいずれも隠すことがないので、制御基板１２５に対する不正行為の痕跡の発見を妨げない。また複数の封印部１３３，１３５が配置方向において互いに連接する構成のため、その配置方向に延びる長いキャップ収容空間１４３ａを合理的に形成することが可能となり、このことによって複数の予備キャップ１５１を接続部材１５３によって直線状に連ねた状態で収容することができる。またボックス本体１２１と封印部１３３とを連接する連接部１２４にキャップ収容空間１３４ａを設け、カバー本体１２３と封印部１３５とを連接する連接部を開封部１３６としている。このため、封印部１３３，１３５の封印を解除するべく必然的に設けられる切断代あるいは破壊代を、予備キャップ１５１のキャップ収容空間１３４ａとして合理的に利用できる。これによって、予備キャップ１５１の収容スペースを合理的に確保でき、制御基板ボックスの体積増や、制御基板ボックスの形状が複雑になって生ずるコストアップを抑えることができる。また複数の予備キャップ１５１は、接続部材１５３によって直線状に連接されていることから、より紛失し難いものとなっている。そしてキャップ収容空間１４３ａに収容された予備キャップ１５１は、係止部材１５５を介してキャップ収容空間１４３ａ内に固定状に保持される構成のため、無用な動きを規制して安定状態に保持することができる。
【００２２】
また本実施の形態では、キャップ収容空間１４３ａを、本体側の封印部１３３の連接部１３４に設けている。カバー側の封印部１３５に封印解除用としての開封部１３６を有する構成、特に開封部１３６に切断を補助する切除部１３８を設定する構成の場合、切除部１３８の大きさは、ニッパー、カッター等の切断工具の先を差し込むのに十分な大きさの開口を形成する寸法に設定されている。その結果、ボックス側面から封印部１３３，１３５の封印中心（封印ネジ１３９の軸心）までの距離は、切除部１３８の寸法だけ少なくとも離れることとなる。このため、予備キャップ１５１の収容に必要な広さのキャップ収容空間１４３ａを容易に確保できる。なお、切除部１３８が開封部１３６から不正に切除されたときは、開封部１３６に切除跡としての開口部ができることによって不正が発見し易い。
【００２３】
また予備キャップ１５１は、赤、青、黄色等のような目立つ色に着色されている。このため、予備キャップ１５１の保管位置および存在の有無を容易に確認できる。また予備キャップ１５１の色は、基板ボックス１１１の出荷当初において、封印状態の封印ネジ１３９を覆っている保護キャップ１４１を識別できるように設定してあるため、出荷後における検査の有無（履歴）を容易に判定できる。
【００２４】
なお、本実施の形態では、図３に示すように、制御基板１２５には、球抜き用のプッシュ式の球抜き用スイッチ１２９が設けられている、この球抜き用スイッチ１２９は、必要に応じてパチンコ機の球抜きを行う場合、払出装置の払出用モータを通電駆動するべく設けられている。球抜き用スイッチ１２９によって払出用モータが通電駆動されたとき、当該払出用モータはパチンコ機内の球が出尽すまでの所定時間に亘って継続して駆動されるように構成されている。なお制御基板１２５に設けられた球抜き用スイッチ１２９のノブ１２９ａは、図４に示すように、カバー部材１２３に形成された開口１２３ａから外側（後側）へ突出されており、カバー部材１２３の外側から操作可能とされる。このノブ１２９ａが不用意にあるいは球タンク等から落下する球によって操作されることを防止するべく、カバー部材１２３には、ノブ１２９ａの周りを囲む防御壁１２８が設けられており、これによって払出用モータの誤作動を防止することができる。
【００２５】
本発明は、上記した実施の形態に限定されるものではなく、その要旨を逸脱しない範囲内での変更が可能である。例えば、本実施の形態では、払出制御基板ボックス１１１を例にして説明したが、主制御基板ボックス１１３も同様の構成である。また、これら払出制御基板ボックス１１１や主制御基板ボックス１１３に限らず副制御基板ボックス１１５、その他の基板ボックスに適用できる。また遊技機の一例としてパチンコ機１００の場合で説明したが、これに限らず、例えばアレンジボール機、雀球機、スロットマシン等に適用できる。
また本体側の複数の封印部１３３およびカバー側の複数の封印部１３５が、それぞれ配置方向において互いに連接する構成としたが、本体側およびカバー側の対をなす封印部１３３，１３５が、対ごとに離間して設けられていてもよい。また本体側の封印部１３３とカバー側の封印部１３５とを連結する連結部材は、封印ネジ１３９に限られない。要するに連結部材としては、本体側の封印部１３３とカバー側の封印部１３５に挿入後、抜き取りが不可あるいは容易に抜けない構成であればよい。また本実施の形態では、カバー側の開封部１３６を切断することで封印を解除する構成としたが、本体側の連接部１３４をも切断する構成としてもよい。また本実施の形態では、キャップ収容空間１３４ａに収容した予備キャップ１５１が係止部材１５５を介して移動規制状態で保持される構成としたが、係止部材１５５を廃止してキャップ収容空間１３４ａに予備キャップ１５１を収容する構成に変更してもよい。また複数の予備キャップ１５１を連接した状態で収容するとしたが、分離された状態で収容する構成にしてもよい。
【００２６】
上記発明の趣旨に鑑み、以下の如き態様が構成可能である。
（態様１）
「請求項１に記載の遊技機であって、
前記ボックス本体側の封印部は、前記ボックス本体と連接する連接部を有し、
前記カバー部材側の封印部は、前記ボックス本体側の連接部と対向するように配置された前記カバー部材と連接する連接部を有し、
前記ボックス本体側の連接部または前記カバー部材側の連接部のいずれか一方または双方の連接部を、工具等によって切断することによって前記ボックス本体および／またはカバー部材と前記封印部との連結を解除して前記基板ボックスを開封する開封部とするとともに、前記キャップ収容空間を備えた箱型のキャップ収容部にしたことを特徴とする遊技機。」
【００２７】
態様１に記載の発明によれば、請求項１に記載の遊技機におけるボックス本体側の封印部は、ボックス本体と連接する連接部を有し、カバー部材側の封印部は、ボックス本体側の連接部と対向するように配置されたカバー部材と連接する連接部を有する。そしてボックス本体側の連接部またはカバー部材側の連接部のいずれか一方または双方の連接部を、工具等によって切断することによってボックス本体および／またはカバー部材と封印部との連結を解除して基板ボックスを開封する開封部とするとともに、キャップ収容空間を備えた箱型のキャップ収容部にした構成としている。
態様１の発明では、基板ボックスと封印部とをつなぐ連接部を、本来の開封部として機能させるのみならず、開封のために必然的に設けられる切断代あるいは破壊代を予備キャップのキャップ収容空間として利用するものである。これによって、予備のキャップの収容スペースを合理的に確保でき、制御基板ボックスの体積増や、制御基板ボックスの形状が複雑になって生ずるコストアップを抑えることができる。
【００２８】
（態様２）
「態様１に記載の遊技機であって、
前記ボックス本体および前記カバー部材には、複数の封印部が連接して配置されるとともに、前記複数の封印部と前記ボックス本体またはカバー部材とを連接する開封部は、前記封印部の配置方向に連続して延びていることを特徴とする遊技機。」
【００２９】
態様２に記載の発明によれば、態様１に記載の遊技機において、ボックス本体およびカバー部材には、複数の封印部が連接して配置されるとともに、それら複数の封印部とボックス本体またはカバー部材とを連接する開封部は、封印部の配置方向に連続して延びている構成とされる。このように、複数の封印部が連接して配置される構成とすることで、封印部の配置方向に複数のキャップを並べて収容することが可能な長いキャップ収容空間を形成することができるとともに、基板ボックスの封印状態では、キャップ収容空間を封印部の配置方向に連続して延びている開封部によって塞ぐことができる。
【００３０】
（態様３）
「態様２に記載の遊技機であって、
前記開封部には、前記複数の封印部相互の境界領域に当該開封部の切断を補助する切除部が切除可能に設けられていることを特徴とする遊技機。」
【００３１】
態様３に記載の発明によれば、態様２に記載の遊技機において、開封部には、複数の封印部相互の境界領域に当該開封部の切断を補助する切除可能な切除部を有する構成とされる。開封部に切断を補助する切除部を設けることで、例えば制御装置の検査のために基板ボックスの封印を解除するべく開封部を切断する際、開封部の切断を容易に行うことができる。ここで本発明における「切除部」とは、工具を用いて開封部を切断する際に、当該開封部の一般部に比べて容易に切除できる領域をいい、典型的には、開封部における一般部に比べて薄肉部によって形成され、痕跡を残さずに開封部を切断することが難しいように構成することが好ましい。
【００３２】
（態様４）
「態様３に記載の遊技機であって、
前記切除部は、切除したときに前記開封部を切断するための切断工具が挿入可能な大きさの開口が当該開封部に形成されるように構成されていることを特徴とする遊技機。」
【００３３】
態様４に記載の発明によれば、態様３に記載の遊技機における切除部は、切除したときに、開封部を切断するための切断工具が挿入可能な大きさの開口が当該開封部に形成されるように構成されている。このように構成することによって、切除部が不正に切除された場合にあっては、開封部に開口部が形成されることで不正が発見し易く、また検査等のために開封部を切断する場合にあっては、開封部の切断が容易になる。そしてこのような切除部を開封部に設けた構成では、ボックス本体またはカバー部材から封印部までの開封部の幅、すなわち封印部の配置方向と直交する方向の幅が必然的に大きくなるため、広いキャップ空間を容易に確保できる。
【００３４】
（態様５）
「態様２〜４のいずれかに記載の遊技機であって、
前記複数の封印部と前記ボックス本体またはカバー部材とを連接する前記キャップ収容部は、前記封印部の配置方向に連続して延びるとともに、当該キャップ収容部に形成されたキャップ収容空間には、切り取り可能な接続部材を介して直列状に連接された複数の予備のキャップが収容されていることを特徴とする遊技機。」
【００３５】
態様５に記載の発明によれば、態様２〜４のいずれかに記載の遊技機において、複数の封印部とボックス本体またはカバー部材とを連接するキャップ収容部は、封印部の配置方向に連続して延びるとともに、当該キャップ収容部に形成されたキャップ収容空間には、切り取り可能な接続部材を介して直列状に連接された複数の予備のキャップが収容された構成とされる。このように、複数の予備のキャップが切り取り可能に連接することで、取り扱い易く、出荷後の基板ボックスを検査のために開封するような場合に予備のキャップが紛失し難い。
【００３６】
（態様６）
「態様１〜５のいずれかに記載の遊技機であって、
前記予備キャップは、切り取り可能な係止部材を有し、当該係止部材が前記キャップ収容部の周壁の開口側端部に離脱可能に係止される構成としたことを特徴とする遊技機。」
【００３７】
態様６に記載の発明によれば、態様１〜５のいずれかに記載の遊技機における予備キャップは、切り取り可能な係止部材を有し、当該係止部材がキャップ収容部の周壁の開口側端部に離脱可能に係止される構成としている。キャップ収容空間内に収容されたキャップは、基板ボックスが振動したような場合、当該キャップ収容空間内で無用の動きを行う可能性があるが、本発明によれば、キャップ収容部の周壁の開口側端部に係止された係止部材によって予備のキャップがキャップ収容空間内で無用に動くのを抑えることができる。
【００３８】
（態様７）
「態様６に記載の遊技機であって、
前記係止部材と前記周壁には、それぞれ係止溝が形成されており、それら両係止溝が交差する方向に前記係止部材と前記周壁とを嵌合することによって当該係止部材を周壁に係止し、これによって前記キャップ収容空間内において前記予備のキャップが互いに交差する方向の移動を規制された状態で保持される構成としたことを特徴とする遊技機。」
【００３９】
態様７に記載の発明によれば、態様６に記載の遊技機において、係止部材と周壁には、それぞれ係止溝が形成されており、それら両係止溝が交差する方向に係止部材と周壁とを嵌合することによって当該係止部材を周壁に係止し、これによってキャップ収容空間内において予備のキャップが互いに交差する方向の移動を規制された状態で保持される構成としている。このような構成を採用したときは、キャップ収容空間内での予備のキャップの無用な動きをより効果的に抑えることが可能となる。
【００４０】
（態様８）
「態様６または７に記載の遊技機であって、
前記キャップ収容空間に収容される予備のキャップの係止部材は、前記封印状態では、前記周壁と前記開封部とによって挟持される構成としたことを特徴とする遊技機。」
【００４１】
態様８に記載の発明によれば、態様６または７に記載の遊技機において、キャップ収容空間に収容される予備のキャップの係止部材は、封印状態では、周壁と開封部とによって挟持される構成としている。このような構成によれば、予備の各キャップを封印状態で収容できるとともに、キャップ収容空間内での予備のキャップの無用の動きを更に抑えることができる。
【００４２】
（態様９）
「態様２〜８のいずれかに記載の遊技機であって、
前記封印部は、前記連結部材が挿入される貫通孔を有する複数の連結筒部を隣接状に有し、前記予備のキャップは、その一部が前記隣接する連結筒部間に位置するように前記キャップ収容空間に配置されていることを特徴とする遊技機。」
【００４３】
態様９に記載の発明によれば、態様２〜８のいずれかに記載の遊技機における封印部は、連結部材が挿入される貫通孔を有する複数の連結筒部を隣接状に有し、予備のキャップは、その一部が隣接する連結筒部間に位置するようにキャップ収容空間に配置された構成とされる。かかる構成によれば、封印部の連結筒部をボックス本体およびカバー部材に極力近接するように配置することが可能となり、封印部の基板ボックスからの突出長さの縮小化を図る上で有効となる。
【００４４】
（態様１０）
「請求項１または態様１〜９のいずれかに記載の遊技機であって、
前記基板ボックスおよび前記封印部は、透明な材料から形成され、前記予備のキャップは、前記封印部と識別可能な色に着色されていることを特徴とする遊技機。」
【００４５】
態様１０に記載の発明によれば、請求項１または態様１〜９のいずれかに記載の遊技機における封印部は、透明な材料から形成され、予備のキャップは、封印部と識別可能な色に着色された構成とされる。かかる構成によれば、キャップ収容空間に収容されている予備のキャップを外側から見たときに、予備のキャップの保管位置および存在の有無を容易に確認することが可能となる。この場合の「色」は、典型的には、赤、青、黄色等のような目立つ色に設定される。
【００４６】
（態様１１）
「請求項１または態様１〜１０のいずれかに記載の遊技機であって、
前記予備のキャップの色は、予め前記操作部を覆っているキャップに着色されている色とは異なることを特徴とする遊技機。」
【００４７】
態様１１に記載の発明によれば、請求項１または態様１〜１０のいずれかに記載の遊技機における予備のキャップの色は、予め操作部を覆っているキャップに着色されている色とは異なる構成とされる。このような構成にすれば、出荷後における検査の有無（履歴）を容易に判定できる。
【図面の簡単な説明】
【００４８】
【図１】パチンコ機を後側から見た背面図である。
【図２】払出制御基板ボックスをパチンコ機の後側から見た斜視図である。
【図３】払出制御基板ボックスの分解斜視図である。
【図４】払出制御基板ボックスをパチンコ機の後側から見た背面図である。
【図５】図４のＡ−Ａ線断面図である。
【図６】図４のＢ−Ｂ線断面図である。
【図７】払出制御基板ボックスのカバー部材を外した状態でボックス本体側の封印部を見た背面図である。
【図８】キャップの抜け止め構造を示す部分断面図である。
【図９】予備のキャップを示す斜視図である。
【図１０】予備のキャップを図９のＸ矢印方向から見た図である。
【図１１】予備のキャップを図９のＹ矢印方向から見た図である。
【図１２】図５のＣ−Ｃ線断面図である。
【符号の説明】
【００４９】
１００  パチンコ機（遊技機）
１０１  外枠
１０３  本体枠
１０５  裏カバー
１１１  払出制御基板ボックス（基板ボックス）
１１３  主制御基板ボックス（基板ボックス）
１１５  副制御基板ボックス
１２１  ボックス本体
１２３  カバー部材
１２３ａ  開口
１２５  制御基板
１２７  電子部品
１２８  防御壁
１２９  球抜き用スイッチ
１２９ａ  ノブ
１３１  封印手段
１３３  本体側の封印部
１３３ａ  貫通孔
１３３ｂ  支持部
１３３ｃ  上下の板状部
１３３ｄ  係止溝
１３３ｅ  係止溝
１３４  連接部
１３４ａ  キャップ収容空間
１３５  カバー側の封印部
１３５ａ  貫通孔
１３５ｂ  段差部
１３６  連接部（連接部）
１３７  カシメ部材（連結部材）
１３７ａ  先端部
１３７ｂ  絞り部
１３８  切除部
１３８ａ  連接部位
１３９  封印ネジ（連結部材）
１３９ａ  頭部
１４１  保護キャップ（キャップ）
１４１ａ  係止爪
１５１  予備キャップ（予備のキャップ）
１５１ａ  係止爪
１５３  接続部材
１５５  係止部材
１５５ａ  係止溝
１５５ｂ  係止部
１５５ｃ  頭部
【図１】
2005230537.tif 000003
【図２】
2005230537.tif 000004
【図３】
2005230537.tif 000005
【図４】
2005230537.tif 000006
【図５】
2005230537.tif 000007
【図６】
2005230537.tif 000008
【図７】
2005230537.tif 000009
【図８】
2005230537.tif 000010
【図９】
2005230537.tif 000011
【図１０】
2005230537.tif 000012
【図１１】
2005230537.tif 000013
【図１２】
2005230537.tif 000014